(57)【要約】【課題】低消費電力化等を実現しながら、動作モードの起動や変更時の判断の正確性を高めることが可能な携帯電子機器等を提供すること。【解決手段】  携帯電子機器は、少なくとも第１の周囲環境センサと、第１の周囲環境センサによって起動する第２の周囲環境センサとを含む複数の周囲環境センサを有するセンサ部２００と、少なくとも第１の周囲環境センサ及び第２の周囲環境センサからのセンサ情報を取得するセンサ情報取得部１６２と、センサ情報に基づいて、携帯電子機器の動作モードの起動及び変更の少なくとも一方を行うモード制御部１６４と、を含む。【選択図】      図３
2011160327.tif 000002
【特許請求の範囲】
【請求項１】
少なくとも第１の周囲環境センサと、前記第１の周囲環境センサによって起動する第２の周囲環境センサとを含む複数の周囲環境センサを有するセンサ部と、
少なくとも前記第１の周囲環境センサ及び前記第２の周囲環境センサからのセンサ情報を取得するセンサ情報取得部と、
前記センサ情報に基づいて、携帯電子機器の動作モードの起動及び変更の少なくとも一方を行うモード制御部と、
を含むことを特徴とする携帯電子機器。
【請求項２】
請求項１において、
前記モード制御部は、
前記第２の周囲環境センサの起動後に取得された前記センサ情報に基づいて、待機モードから通常動作モードに移行するか否かを制御することを特徴とする携帯電子機器。
【請求項３】
請求項１において、
前記モード制御部は、
前記携帯電子機器が待機モードから通常動作モードに移行した後に、前記センサ情報に基づいて、携帯電子機器の動作モードを通常動作モードのうちの第１のモードから第２のモードに変更するモード制御を行うことを特徴とする携帯電子機器。
【請求項４】
請求項１乃至３のいずれかにおいて、
前記第１の周囲環境センサは、
携帯電子機器が待機モードであっても、周囲環境のセンシングが可能なセンサであることを特徴とする携帯電子機器。
【請求項５】
請求項１乃至４のいずれかにおいて、
前記複数の周囲環境センサは、
第１〜第Ｎ（Ｎ≧２）の周囲環境センサを含み、
前記第１〜第Ｎの周囲環境センサのうちの第ｉ（２≦ｉ≦Ｎ）の周囲環境センサは、
前記第１〜第Ｎの周囲環境センサのうちの第ｉ−１の周囲環境センサによって起動され、
前記モード制御部は、
前記第Ｎの周囲環境センサが起動されたことを条件に、携帯電子機器を待機モードから通常動作モードに移行させることを特徴とする携帯電子機器。
【請求項６】
請求項１乃至５のいずれかにおいて、
前記複数の周囲環境センサは、
明るさ検知センサ、モーションセンサ、測距センサ及び被写体認識センサのうちの少なくとも２つのセンサを含み、
前記第１の周囲環境センサは、
前記少なくとも２つのセンサのうちの一方のセンサであり、
前記第２の周囲環境センサは、
前記少なくとも２つのセンサのうちの他方のセンサであることを特徴とする携帯電子機器。
【請求項７】
請求項１乃至６のいずれかにおいて、
通知部を含み、
前記通知部は、
前記モード制御部によるモード起動及びモード変更の少なくとも一方の制御が行われた場合に、ユーザに制御の結果を通知することを特徴とする携帯電子機器。
【請求項８】
請求項１乃至７のいずれかにおいて、
前記第１の周囲環境センサは、
太陽電池であり、
前記第２の周囲環境センサは、
前記第１の周囲環境センサである前記太陽電池により、明るさの変化及びユーザのタッチが検出された場合に、起動することを特徴とする携帯電子機器。
【請求項９】
請求項１乃至８のいずれかにおいて、
前記センサ部は、
ユーザと携帯電子機器との間の距離情報を検出する測距センサを含み、
前記モード制御部は、
前記距離情報に基づいて、複数の動作モードの中から１つの動作モードを起動することを特徴とする携帯電子機器。
【請求項１０】
請求項９において、
被写体を撮像する撮像部を含み、
前記第１の周囲環境センサは、
前記撮像部が撮影可能な状態であるか否かの検出を行い、
前記第２の周囲環境センサは、
ユーザと携帯電子機器との間の距離情報を検出する前記測距センサであり、
前記センサ情報取得部は、
前記第１の周囲環境センサと前記第２の周囲環境センサからのセンサ情報を取得し、
前記モード制御部は、
前記センサ情報に基づいて、撮影モードを起動することを特徴とする携帯電子機器。
【請求項１１】
請求項１０において、
前記モード制御部は、
前記第１の周囲環境センサが、前記撮像部が撮影可能な状態であることを検出し、かつ、前記第２の周囲環境センサが、ユーザと携帯電子機器との間の距離が撮影可能な距離であることを検出した場合に、撮影モードを起動することを特徴とする携帯電子機器。
【請求項１２】
請求項１乃至８のいずれかにおいて、
被写体を撮像する撮像部を含み、
前記第１の周囲環境センサは、
前記撮像部が撮影可能な状態であるか否かの検出を行い、
前記第２の周囲環境センサは、
所定の期間、カメラ操作以外のキーが非操作であるか否かの検出を行い、
前記センサ情報取得部は、
前記第１の周囲環境センサと前記第２の周囲環境センサからのセンサ情報を取得し、
前記モード制御部は、
前記センサ情報に基づいて、撮影モードを起動することを特徴とする携帯電子機器。
【請求項１３】
請求項１２において、
前記モード制御部は、
前記第１の周囲環境センサが、前記撮像部が撮影可能な状態であることを検出し、かつ、前記第２の周囲環境センサが、所定の期間、カメラ操作以外のキーが非操作であることを検出した場合に、撮影モードを起動することを特徴とする携帯電子機器。
【請求項１４】
請求項１０乃至１３のいずれかにおいて、
第１の機器部分と、
前記第１の機器部分に対し開閉自在に設けられた第２の機器部分と、
を含み、
前記第１の周囲環境センサは、
前記第１の機器部分と前記第２の機器部分の開閉状態を検出することで、前記撮像部が撮影可能な状態である否かを検出するセンサであることを特徴とする携帯電子機器。
【請求項１５】
請求項１４において、
前記モード制御部は、
前記第１の機器部分と前記第２の機器部分が開状態にあることを検出した場合に、撮影モードを起動することを特徴とする携帯電子機器。
【請求項１６】
請求項１乃至１５のいずれかにおいて、
前記複数の周囲環境センサは、
前記第２の周囲環境センサによって起動される第３の周囲環境センサを含み、
前記第３の周囲環境センサは、
携帯電子機器の動きを検出するモーションセンサであり、
前記センサ情報取得部は、
前記第１〜第３の周囲環境センサからセンサ情報を取得することを特徴とする携帯電子機器。
【請求項１７】
請求項１乃至８のいずれかにおいて、
第１の機器部分と、
前記第１の機器部分に対し開閉自在に設けられた第２の機器部分と、
を含み、
前記複数の周囲環境センサは、
前記第２の周囲環境センサによって起動される第３の周囲環境センサを含み、
前記第１の周囲環境センサは、
前記前記第１の機器部分と前記第２の機器部分の開閉状態を検出するセンサであり、
前記第２の周囲環境センサは、
前記第１に機器部分又は前記第２の機器部分に設置され、人が触れたことを感知するタッチセンサであり、
前記第３の周囲環境センサは、
携帯電子機器の姿勢を検出するモーションセンサであり、
前記センサ情報取得部は、
前記第１〜第３の周囲環境センサからセンサ情報を取得し、
前記モード制御部は、
前記センサ情報に基づいて、撮影モードを起動することを特徴とする携帯電子機器。
【請求項１８】
請求項１７において、
前記モード制御部は、
前記第１の周囲環境センサが、前記１の機器部分及び前記第２の機器部分が閉状態にあることを検出し、かつ、前記第２の周囲環境センサが、ユーザがタッチしていることを検出し、かつ、前記第３の周囲環境センサが、携帯電子機器が撮影可能な姿勢をとっていることを検出した場合に、撮影モードを起動することを特徴とする携帯電子機器。
【発明の詳細な説明】
【技術分野】
【０００１】
本発明は、携帯電子機器等に関する。
【背景技術】
【０００２】
デジタルカメラ等の撮像装置において、電源スイッチを押さなくてもレリーズボタン操作を行って撮影可能状態とする技術がある（例えば、特許文献１、２）。この技術によれば、撮影停止状態でもシャッターキーを押せば電源が供給され電源スイッチをオンにしなくても撮影可能状態となる。
【０００３】
また、撮影者がシャッターチャンスを得てから撮影を実行するまでの時間を短縮するために電源スイッチとは異なる即撮影可能スイッチを設けたものがある（例えば、特許文献３）。この技術によれば、即撮影可能スイッチの投入によって電源スイッチがオンとされた場合は、電源スイッチ投入とは異なるシーケンスで撮像装置に組み込まれている各種機構部を直ちに撮影可能な状態に移行させる。
【先行技術文献】
【特許文献】
【０００４】
【特許文献１】特開平０７−０１３２２２号公報
【特許文献２】特開２００７−１０４０３８号公報
【特許文献３】特開２００３−２９５２８２号公報
【発明の概要】
【発明が解決しようとする課題】
【０００５】
現在市販の携帯機器の多くは多種多様の機能を搭載しているので、電源オンから使用できるまでに数十秒の時間を要することが多い。その対策として、特許文献１、２に開示の技術はデジタルカメラの電源スイッチの代わりにレリーズボタンを用いている。
【０００６】
しかし、レリーズボタンを操作して電源をオンにしてから、撮影用の機能を順次起動していく必要がある。そのため、レリーズボタン操作から撮影可能状態に移行するまでに時間がかかりすぎて瞬間的なシャッターチャンスを逃す可能性があるといった課題があった。
【０００７】
また、特許文献３に開示の技術では、カメラを把持すると動作する即撮影可能スイッチを設けているので、撮影者がカメラ本体を持つだけで電源がオンとなる。そして、撮像装置に組み込まれている各種機構部を順次起動することから、カメラ本体を把持さえしていれば瞬間的なシャッターチャンスに撮影を行なうことができる。しかし、タッチセンサを常時ＯＮさせているので電力が消費されてしまい、また、ユーザが撮影する気がなくても把持するだけで電源が立ち上がってしまうという課題があった。
【０００８】
本発明の幾つかの態様によれば、低消費電力化等を実現しながら、動作モードの起動や変更時の判断の正確性を高めることが可能な携帯電子機器等を提供することができる。
【０００９】
また、本発明の幾つかの態様によれば、電源投入から撮影までの時間を可能な限り短縮して瞬間的なシャッターチャンスでの撮影を可能にすると共に、低消費電力化を実現し、撮影時以外であれば起動しない携帯電子機器等を提供することができる。
【課題を解決するための手段】
【００１０】
本発明の一態様では、少なくとも第１の周囲環境センサと、前記第１の周囲環境センサによって起動する第２の周囲環境センサとを含む複数の周囲環境センサを有するセンサ部と、少なくとも前記第１の周囲環境センサ及び前記第２の周囲環境センサからのセンサ情報を取得するセンサ情報取得部と、前記センサ情報に基づいて、携帯電子機器の動作モードの起動及び変更の少なくとも一方を行うモード制御部と、を含む携帯電子機器に関係する。
【００１１】
本発明の一態様では、少なくとも第１の周囲環境センサと第２の周囲環境センサが設けられ、第２の周囲環境センサは第１の周囲環境センサによって起動する。そして第１及び第２の周囲環境センサのセンサ情報に基づいて動作モードの起動及び変更の少なくとも一方が行われる。これにより、携帯電子機器の低消費電力化等を実現しながら動作モードの起動や変更時の判断の正確性を高めることが可能になる。
【００１２】
また、本発明の一態様では、前記モード制御部は、前記第２の周囲環境センサの起動後に取得された前記センサ情報に基づいて、待機モードから通常動作モードに移行するか否かを制御してもよい。
【００１３】
このようにすれば、第１及び第２の周囲環境センサのセンサ情報に基づいて動作モードの起動が行われることになり、動作モードの起動時の判断の正確性を高めることが可能になる。
【００１４】
また、本発明の一態様では、前記モード制御部は、前記携帯電子機器が待機モードから通常動作モードに移行した後に、前記センサ情報に基づいて、携帯電子機器の動作モードを通常動作モードのうちの第１のモードから第２のモードに変更するモード制御を行ってもよい。
【００１５】
このようにすれば、通常動作モードに複数のモードが存在するような場合にも、モードの変更を高速で行うことなどが可能になり、動作モードの変更時の判断の正確性も高めることができる。
【００１６】
また、本発明の一態様では、前記第１の周囲環境センサは、携帯電子機器が待機モードであっても、周囲環境のセンシングが可能なセンサであってもよい。
【００１７】
このようにすれば、待機モードにおいても周囲環境のセンシングが可能になり、待機モードから通常動作モードへの高速な移行等を実現できる。
【００１８】
また、本発明の一態様では、前記複数の周囲環境センサは、第１〜第Ｎ（Ｎ≧２）の周囲環境センサを含み、前記第１〜第Ｎの周囲環境センサのうちの第ｉ（２≦ｉ≦Ｎ）の周囲環境センサは、前記第１〜第Ｎの周囲環境センサのうちの第ｉ−１の周囲環境センサによって起動され、前記モード制御部は、前記第Ｎの周囲環境センサが起動されたことを条件に、携帯電子機器を待機モードから通常動作モードに移行させてもよい。
【００１９】
このようにすれば、複数の周囲環境センサをシーケンシャルに起動することが可能になり、高速な動作モードの起動や変更を行いつつも、その判断の正確性を高めることが可能になる。
【００２０】
また、本発明の一態様では、前記複数の周囲環境センサは、明るさ検知センサ、モーションセンサ、測距センサ及び被写体認識センサのうちの少なくとも２つのセンサを含み、前記第１の周囲環境センサは、前記少なくとも２つのセンサのうちの一方のセンサであり、前記第２の周囲環境センサは、前記少なくとも２つのセンサのうちの他方のセンサであってもよい。
【００２１】
このようにすれば、明るさ検知センサ、モーションセンサ、測距センサ、被写体認識センサのうちの少なくとも２つを、周囲環境センサとして利用することが可能になる。
【００２２】
また、本発明の一態様では、通知部を含み、前記通知部は、前記モード制御部によるモード起動及びモード変更の少なくとも一方の制御が行われた場合に、ユーザに制御の結果を通知してもよい。
【００２３】
このようにすれば、センサ情報に基づくモードの起動・変更の結果をユーザに通知することが可能になる。
【００２４】
また、本発明の一態様では、前記第１の周囲環境センサは、太陽電池であり、前記第２の周囲環境センサは、前記第１の周囲環境センサである、前記太陽電池により、明るさの変化及びユーザのタッチが検出された場合に、起動してもよい。
【００２５】
このようにすれば、太陽電池を、輝度センサ及びタッチセンサの役割を果たす第１の周囲環境センサとして利用することが可能になる。
【００２６】
また、本発明の一態様では、前記センサ部は、ユーザと携帯電子機器との間の距離情報を検出する測距センサを含み、前記モード制御部は、前記距離情報に基づいて、複数の動作モードの中から１つの動作モードを起動してもよい。
【００２７】
このようにすれば、周囲環境センサの１つとして、測距センサを用いることが可能になり、ユーザと携帯電子機器との間の距離情報を用いた判断をすることができる。
【００２８】
また、本発明の一態様では、被写体を撮像する撮像部を含み、前記第１の周囲環境センサは、前記撮像部が撮影可能な状態であるか否かの検出を行い、前記第２の周囲環境センサは、ユーザと携帯電子機器との間の距離情報を検出する前記測距センサであり、前記センサ情報取得部は、前記第１の周囲環境センサと前記第２の周囲環境センサからのセンサ情報を取得し、前記モード制御部は、前記センサ情報に基づいて、撮影モードを起動してもよい。
【００２９】
このようにすれば、撮影モードを起動する際に、測距センサを周囲環境のセンシングに用いることが可能になる。
【００３０】
また、本発明の一態様では、前記モード制御部は、前記第１の周囲環境センサが、前記撮像部が撮影可能な状態であることを検出し、かつ、前記第２の周囲環境センサが、ユーザと携帯電子機器との間の距離が撮影可能な距離であることを検出した場合に、撮影モードを起動してもよい。
【００３１】
このようにすれば、測距センサを用いて、ユーザと携帯電子機器との間の距離が撮影可能な距離である場合に、撮影モードを起動する携帯電子機器を実現することができる。
【００３２】
また、本発明の一態様では、被写体を撮像する撮像部を含み、前記第１の周囲環境センサは、前記撮像部が撮影可能な状態であるか否かの検出を行い、前記第２の周囲環境センサは、所定の期間、カメラ操作以外のキーが非操作であるか否かの検出を行い、前記センサ情報取得部は、前記第１の周囲環境センサと前記第２の周囲環境センサからのセンサ情報を取得し、前記モード制御部は、前記センサ情報に基づいて、撮影モードを起動してもよい。
【００３３】
このようにすれば、撮影モードを起動する際に、キー入力検出センサを周囲環境のセンシングに用いることが可能になる。
【００３４】
また、本発明の一態様では、前記モード制御部は、前記第１の周囲環境センサが、前記撮像部が撮影可能な状態であることを検出し、かつ、前記第２の周囲環境センサが、所定の期間、カメラ操作以外のキーが非操作であることを検出した場合に、撮影モードを起動してもよい。
【００３５】
このようにすれば、キー入力検出センサ利用の具体例として、所定の期間、カメラ操作以外のキーが非操作であることを、撮影可能状態にあるか否かの判断に用いることが可能になる。
【００３６】
また、本発明の一態様では、第１の機器部分と、前記第１の機器部分に対し開閉自在に設けられた第２の機器部分と、を含み、前記第１の周囲環境センサは、前記第１の機器部分と前記第２の機器部分の開閉状態を検出することで、前記撮像部が撮影可能な状態である否かを検出するセンサであってもよい。
【００３７】
このようにすれば、撮像部が撮影可能な状態であるか否かの判断に開閉センサを用いることが可能になる。
【００３８】
また、本発明の一態様では、前記モード制御部は、前記第１の機器部分と前記第２の機器部分が開状態にあることを検出した場合に、撮影モードを起動してもよい。
【００３９】
このようにすれば、開閉センサ利用の具体例として、開閉センサが開状態を検出したかを、撮影可能状態にあるか否かの判断に用いることができる。
【００４０】
また、本発明の一態様では、前記複数の周囲環境センサは、前記第２の周囲環境センサによって起動される第３の周囲環境センサを含み、前記第３の周囲環境センサは、携帯電子機器の動きを検出するモーションセンサであり、前記センサ情報取得部は、前記第１〜第３の周囲環境センサからセンサ情報を取得してもよい。
【００４１】
このようにすれば、ユーザと携帯電子機器との間の距離情報を用いてズーム操作を行うようなスマートズーム等と、シーケンシャルなセンサ起動とを組み合わせて利用することが可能になる。
【００４２】
また、本発明の一態様では、第１の機器部分と、前記第１の機器部分に対し開閉自在に設けられた第２の機器部分と、を含み、前記複数の周囲環境センサは、前記第２の周囲環境センサによって起動される第３の周囲環境センサを含み、前記第１の周囲環境センサは、前記前記第１の機器部分と前記第２の機器部分の開閉状態を検出するセンサであり、前記第２の周囲環境センサは、前記第１に機器部分又は前記第２の機器部分に設置され、人が触れたことを感知するタッチセンサであり、前記第３の周囲環境センサは、携帯電子機器の姿勢を検出するモーションセンサであり、前記センサ情報取得部は、前記第１〜第３の周囲環境センサからセンサ情報を取得し、前記モード制御部は、前記センサ情報に基づいて、撮影モードを起動してもよい。
【００４３】
このようにすれば、開閉センサ、タッチセンサ及びモーションセンサを周囲環境のセンシングに用いることが可能になる。
【００４４】
また、本発明の一態様では、前記モード制御部は、前記第１の周囲環境センサが、前記１の機器部分及び前記第２の機器部分が閉状態にあることを検出し、かつ、前記第２の周囲環境センサが、ユーザがタッチしていることを検出し、かつ、前記第３の周囲環境センサが、携帯電子機器が撮影可能な姿勢をとっていることを検出した場合に、撮影モードを起動してもよい。
【００４５】
このようにすれば、具体的には、開閉センサが開状態にあり、タッチセンサがユーザのタッチを検出し、モーションセンサが撮影可能姿勢にあることを検出したときに、撮影モードを起動する携帯電子機器を実現することが可能になる。
【図面の簡単な説明】
【００４６】
【図１】本実施形態における携帯電子機器の動作モードの説明図。
【図２】本実施形態における携帯電子機器の動作モードの他の説明図。
【図３】シーケンシャルなセンサ起動の具体例の説明図。
【図４】本実施形態の携帯電子機器の構成例。
【図５】本実施形態の処理を説明するためのフローチャート。
【図６】本実施形態の携帯電子機器の他の構成例。
【図７】本実施形態の携帯電子機器の他の構成例。
【図８】第１の機器部分と第２の機器部分が開閉自在に設けられた携帯電子機器の例。
【図９】本実施形態の携帯電子機器の他の構成例。
【図１０】携帯電子機器の外側に設置されるタッチセンサの説明図。
【図１１】撮影者と撮像装置の間の距離とズーム倍率の関係の説明図
【図１２】本実施形態の携帯電子機器の他の構成例。
【図１３】本実施形態の処理を説明するためのフローチャート。
【図１４】本実施形態における周囲環境センサの設定パターンの例。
【発明を実施するための形態】
【００４７】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００４８】
１．本実施形態の手法
【００４９】
まず、本実施形態における電源及び携帯電子機器の動作モードについて説明する。以下の説明において、電源としてライフ電源と主電源という言葉を用いる。ライフ電源がＯＮの状態とは、携帯電子機器の電源スイッチはＯＮにされているが、例えばＣＰＵ（処理部）の一部と、複数の周囲環境センサのうちの第１の周囲環境センサのみが動作している状態である。また、主電源がＯＮになると、例えば通常動作（例えば撮影等）に必要な全ての回路が動作可能な状態になる。
【００５０】
電源の状態に対応する、携帯電子機器の動作モードについて図１を用いて説明する。図１に示すように携帯電子機器の動作モードは３つあり、シャットダウンモード、待機モード及び通常動作モードである。シャットダウンモードとは、主電源もライフ電源もＯＦＦになっている状態のことである。待機モードとは主電源はＯＦＦであるが、ライフ電源がＯＮになっている状態であり、ＣＰＵの一部と第１の周囲環境センサが動作している。通常動作モードとは主電源もＯＮになっている状態であり、撮影等の通常動作が可能なモードである。
【００５１】
なお、図２に示すように、携帯電子機器の通常動作モードは１つには限られない。例えば携帯電子機器として撮影機能付き携帯電話を考えた場合には、通常動作モードとして、撮影モードの他、通話モードやメールモードなどが考えられる。
【００５２】
次に、本実施形態の手法の概要について説明する。従来の手法では携帯電子機器（デジタルカメラ等の撮像装置や撮影機能付きの携帯電話等）を通常動作が可能な状態にするためには、携帯電子機器本体に設置された電源スイッチを操作する必要があった。
【００５３】
これに対して、電源スイッチを押さなくとも通常動作（具体的には撮影）を可能にする手法として、レリーズスイッチを押すだけで撮影を行えるようにするものや、タッチセンサを搭載しユーザにより把持されていることを検出したら自動的に撮影モードに入るものなどが提案されている。
【００５４】
しかし、レリーズスイッチを用いた手法は、レリーズスイッチを押してから実際に撮影を行うまでの間のタイムラグが大きく、瞬間的な撮影が困難である。また、タッチセンサを搭載したものは、タッチセンサにより電力の消費を無視することができず、また、ユーザに撮影する意図がない場合にも起動してしまうという問題があった。
【００５５】
そこで、本出願人は、高速で通常動作が可能な状態に移行でき、かつ消費電力の少ない携帯電子機器を実現するために、シーケンシャルなセンサ起動を用いた手法を提案している。
【００５６】
本実施形態においては、携帯電子機器はセンサ部と、センサ部からのセンサ情報を取得するセンサ情報取得部と、動作モードの起動及び変更を行うモード制御部とを含む。そして、センサ部は少なくとも第１の周囲環境センサと、第２の周囲環境センサを含み、第２の周囲環境センサは第１の周囲環境センサによって起動される。
【００５７】
これにより、少なくとも２つのセンサを有し、第２の周囲環境センサは第１の周囲環境センサによって起動される携帯電子機器を実現することが可能になる。よって、第１の周囲環境センサ（とＣＰＵの一部）を起動させておけば、第１の周囲環境センサのセンサ情報に基づいて第２の周囲環境センサを起動し、第１、第２の周囲環境センサによる複数のセンサ情報に基づいて動作モードを起動・変更することができる。つまり、待機モードから通常動作モードへの移行等が、シーケンシャルなセンサ起動により実現することが可能になる。
【００５８】
モード制御部は、具体的には、第２の周囲環境センサの起動後に取得されたセンサ情報に基づいて、待機モードから通常動作モードへの移行の判定を行う。
【００５９】
これにより、待機モードから通常動作モードへの移行（動作モードの起動）は、少なくとも第１、第２の周囲環境センサによるセンサ情報に基づいて行われることになる。よって、判断の正確性が増し、ユーザの意図に反した起動等を抑止することができる。
【００６０】
また、モード制御部は、通常動作モードに移行した後のセンサ情報に基づいて、通常動作モードのうちの第１のモードから第２のモードへ動作モードを変更する制御を行う。
【００６１】
これにより、図２に示すように、通常動作モードが複数のモードを含むような場合にも、そのモード間の移行を、複数のセンサによるセンサ情報に基づいてスムーズに行うことが可能となる。複数のモードがある場合は、どのモードで動作するかの判定を正確に行わないと、ユーザにストレスを与えることになるため、複数センサを用いて正確性を向上させることは非常に有用である。
【００６２】
また、第１の周囲環境センサは、待機モードにおいても周囲環境のセンシングが可能なセンサである。
【００６３】
これにより、待機モードであっても周囲環境のセンシングを行うことが可能になり、従って待機モードからセンサ情報に基づいて他のモード（通常動作モード等）に移行することも可能になる。
【００６４】
また、周囲環境センサは第１〜第２のものに限定されるものではない。第１〜第Ｎ（Ｎ≧２）のＮ個の周囲環境センサを含み、第ｉ−１（２≦ｉ≦Ｎ）のセンサが第ｉのセンサを起動するようにしてもよい。そして第Ｎのセンサが起動されることを条件に（厳密には第Ｎのセンサが起動し、特定のセンサ情報を検出したことを条件に）携帯電子機器を待機モードから通常動作モードへ移行させる。
【００６５】
これにより、Ｎ個のセンサを用いることができるため、様々な周囲環境をセンシングすることが可能になり、判断の正確性を向上させることができる。このときも、シーケンシャルなセンサ起動が行われるため、待機モードにおいては第１の周囲環境センサを起動させておけば足り、省電力化も実現できる。
【００６６】
また、周囲環境センサとして明るさ検知センサ、モーションセンサ、測距センサ及び被写体認識センサのうちの少なくとも２つを含んでもよい。そのうちの一方が第１の周囲環境センサであり、他方が第２の周囲環境センサである。
【００６７】
ここで、３つ以上のセンサを含む場合、一方とは、３つ以上のセンサのうちの１つのセンサのことであり、他方とは、３つ以上のセンサのうちの第１の周囲環境センサを除いた１つのセンサであることを示す。
【００６８】
これにより、周囲環境センサとして様々なものを利用することが可能になる。なお、ここで挙げたセンサは具体例を示したものであり、列挙されていないセンサを用いてもよいことは言うまでもない。
【００６９】
また、モード制御部により、動作モードの起動・変更が行われた場合に、結果をユーザに通知する通知部を含んでもよい。
【００７０】
これにより、ユーザに制御結果を通知することが可能になり、現在どの動作モードにより動作しているかを明確に示すことができる。本実施形態においては、ユーザからの明示的な指示が行われなくても、センサ情報に基づいて動作モードが起動・変更される。そのため結果を通知することは、ユーザフレンドリーの観点からも重要である。
【００７１】
以上の手法について、以下に詳細に説明する。第１の実施形態においては、携帯電子機器が撮像装置（例えばデジタルカメラ・デジタルビデオカメラ等）である場合について説明する。つまり、動作モードが待機モードと通常動作モードの２つのみのケースである。第２の実施形態においては、携帯電子機器が撮影機能付きの携帯電話である場合について説明する。つまり、通常動作モードとして、例えば図２に示すようにメールモード・通話モード・撮影モード等複数のものが考えられるケースである。第３の実施形態においては、第２の実施形態の派生例として、二つ折り携帯電話の例を説明する。つまり、携帯電子機器の開閉状態を検知するセンサを有するケースである。第４の実施携帯においては、撮像装置を撮像素子の光軸方向に移動させることでズーム操作を実現する手法（以下、適宜スマートズームと表記する）と組み合わせた例について説明する。
【００７２】
２．第１の実施形態
【００７３】
第１の実施形態の概要について、第１の周囲環境センサが輝度センサであり、第２の周囲環境センサがタッチセンサであり、第３の周囲環境センサが姿勢検出センサである場合の具体例を図３に示す。
【００７４】
典型的な例として待機モードから通常動作モードへの移行の場合を考える。待機モードでは、ＣＰＵの一部と第１の周囲環境センサのみが動作している状態になっている。図３の例で言えば、第１の周囲環境センサである輝度センサのみが常時動作している。
【００７５】
そして、鞄から出される等、輝度の値が大きくなると、第２の周囲環境センサであるタッチセンサを起動させる。タッチセンサによるセンシングで、ユーザが携帯電子機器を把持しているかどうかの判定を行う。
【００７６】
タッチセンサにより、ユーザが携帯電子機器を把持していると判断されたら、第３の周囲環境センサである姿勢検出センサを起動させる。姿勢検出センサによるセンシングで、携帯電子機器が撮影可能な姿勢になっているかどうかの判定を行う。
【００７７】
姿勢検出センサにより、携帯電子機器が撮影可能な姿勢になっていると判断されて初めて、撮影モードに移行して、撮影に必要な各回路に電源を供給し動作を開始させる。このようにすることで、高速なモード変更を実現しつつ、省電力化を図ることができる。また、複数のセンサを用いることでユーザの意図を正確に判断することも可能になる。
【００７８】
図４は、本実施形態に係る携帯電子機器である撮像装置の概略的構成を説明するブロック図である。撮像装置は、撮像部１１５と、画像処理部１３０と、Ｉ／Ｆ部１４０と、記憶部１５０と、処理部１６０と、レンズ駆動モータ（ＡＦモータ、ズームモータ）１７０と、センサ部２００とを備えている。なお、これらの一部の構成要素を省略したり、他の構成要素を追加するなどの種々の変形実施が可能である。
【００７９】
なお、図示していないが撮像装置には、背面液晶パネル等の表示装置やフラッシュ機構等の一般のデジタルカメラに装備される機器が設けられていてもよい。
【００８０】
撮像部１１５は、撮影レンズ１１０（光学系）と、撮像素子１２０とを備えている。
【００８１】
撮影レンズ１１０（光学系）は、ＣＣＤあるいはＣＭＯＳイメージセンサで構成される撮像素子１２０の撮像面上に被写体像を形成する焦点距離可変のズームレンズである。本明細書中では、撮像素子１２０は内部にＣＤＳ、Ａ／Ｄ変換等の処理ブロックを有してディジタルの画像信号を出力可能なＣＭＯＳイメージセンサであるものとして説明をする。
【００８２】
撮像素子１２０から出力されるディジタルの画像信号は、記憶部１５０に一時的に保管される。記憶部１５０は、画像処理部１３０が画像処理を行う際のバッファメモリとしても用いられるので、書き込み・読み出しの速度が速いことが望ましく、例えばＤＲＡＭ、ＳＲＡＭ等で構成することが可能である。記憶部１５０へは、システムバスを介して撮像素子１２０、画像処理部１３０、処理部１６０がアクセス可能に構成される。記憶部１５０は、上述した構成要素からのメモリアクセス要求を調停する機能を有する。
【００８３】
画像処理部１３０は、特定用途向けの集積回路（ＡＳＩＣ）等で構成することが可能である。この画像処理部１３０は、撮像素子１２０から出力されて記憶部１５０に一時的に保管されたディジタルの画像信号に同時化（デモザイク処理）、ホワイトバランス調整、階調・レベル補正、アンシャープマスク、シェーディング補正等の処理をしてディジタルの画像データを生成する。
【００８４】
画像処理部１３０が画像記録処理を行う際には、画像処理部１３０によって生成された画像データが必要に応じてＪＰＥＧ圧縮され、Ｉ／Ｆ部１４０を介して不図示の記憶媒体に記録される。この記憶媒体としては様々なものを用いることが可能である。一例として、記憶媒体はフラッシュメモリで、撮像装置に内蔵されるものであってもよいし、撮像装置に対して着脱可能に構成されるものであってもよい。
【００８５】
処理部１６０は、撮像装置を動作させるための種々の処理を行う。特に、センサ部２００に含まれる複数の周囲環境センサからの情報を受信し、モード設定に関する処理を行う。また、自動露光に係る測光、露光量演算等の一連の動作、フラッシュユニット用メインコンデンサの充電、フラッシュの発光量調節、撮影者による撮影モードの設定操作受付等の携帯電子機器の統括制御を行う。
【００８６】
処理部１６０は、センサ情報取得部１６２と、モード制御部１６４と、通知部１６６とを備えている。なお、これらの一部の構成要素を省略したり、他の構成要素を追加するなどの種々の変形実施が可能である。
【００８７】
センサ情報取得部１６２は、センサ部２００に含まれる複数の周囲環境センサからの情報を取得する。例えば、周囲環境センサが輝度センサである場合には輝度情報を取得し、加速度センサである場合には加速度情報を取得する。
【００８８】
モード制御部１６４は、携帯電子機器の動作モードの設定を行う。例えば、センサ情報取得部１６２が、姿勢検出センサから、カメラが撮影可能な方向を向いているという情報を取得した場合には、動作モードを通常動作モード（本実施形態においては撮影モード）に設定する。
【００８９】
通知部１６６は、モード制御部１６４により動作モードが起動・変更された場合に、その旨をユーザに通知する。本実施形態においては、モードの起動・変更は、ユーザの明示的な指示ではなく、センサ情報に基づいて自動的に行われるため、ユーザフレンドリーの観点から通知を行うものである。具体的には、バイブレーション機能を用いてもよいし、音で知らせてもよい。また、ＬＥＤ等を発光させることで通知してもよい。
【００９０】
レンズ駆動モータ１７０は、ＡＦモータやズームモータから構成される。ズームモータは、適切な画角になるように撮影レンズ１１０の位置を調整する。また、ＡＦモータは画角調整の終了後に、被写体に対して自動的にフォーカスをあわせるＡＦ（オートフォーカス）を実行する。具体的にはズームモータと同様に撮影レンズ１１０の位置を調整する。
【００９１】
表示部１９０は、例えば液晶表示装置等であり、各種の画像を表示する。
【００９２】
ドライバ１９２（表示制御部）は、画像処理部１３０で生成した画像を、表示部１９０で表示可能な形式に変換する。
【００９３】
センサ部２００は、複数の周囲環境センサを備えている。周囲環境センサとは、携帯電子機器本体もしくは携帯電子機器の周辺の情報を取得するセンサであり、例えば、輝度情報を取得する輝度センサや、距離情報を取得するアクティブセンサ等である。なお、周囲環境センサは、加速度センサであっても、ジャイロセンサであっても、地磁気センサであっても、気圧、水圧等の圧力センサであっても、ＧＰＳや携帯電話、無線ＬＡＮ、Ｂｌｕｅｔｏｏｔｈ（登録商標）、ＰＨＳ、ＲＦＩＤ(無線タグ）等無線による位置検出センサであっても、画像処理による位置検出手段であっても、太陽電池や光センサ等の輝度センサであっても、タイマーであっても、上記複数の組合せであってもよい。
【００９４】
次に起動時のシーケンスについて図５を用いて説明する。
【００９５】
Ｉ／Ｆ部１４０を介して、不図示の電源ボタンをＯＮにすると、ライフ電源がＯＮになり、処理部１６０は図示しない電源制御部にコマンドを送り、電源制御部を介して撮像装置の処理部１６０（ＣＰＵ）の一部と、第１の周囲環境センサに電源を供給し、動作可能にする。
【００９６】
上述の処理が、図５の処理開始前に行われる。なお、ここでは第１の周囲環境センサは、消費電力ゼロの太陽電池を用いた輝度センサとする。よって上述した第１の周囲環境センサへの電源の供給は必ずしも必要ではない。
【００９７】
図５の処理を開始すると、まず、第１の周囲環境センサである輝度センサ（太陽電池）のセンサ情報を取得し、輝度の値が閾値Ｔｈ１より大きいかの判定が行われる（Ｓ４０１）。Ｔｈ１よりも小さい場合には、ライフ電源がＯＦＦにされる（携帯電子機器の電源スイッチがＯＦＦにされる）まで、Ｓ４０１の輝度の判定が続けられる。
【００９８】
輝度の値がＴｈ１よりも大きい場合には、携帯電子機器が明るいところに出された（例えば、撮影のために鞄等から取り出された）と判断して、その旨をＣＰＵに通知する（Ｓ４０２）。ＣＰＵはタイマー（厳密には第２の周囲環境センサでの判定回数の上限）Ｔｈ２を設定し（Ｓ４０３）、第２の周囲環境センサであるタッチセンサを起動する（Ｓ４０４）。
【００９９】
次に、タッチセンサによりタッチがされているかどうかの判定が行われる（Ｓ４０５）。タッチされていない場合には、待機回数がＳ４０３で設定したＴｈ２を超えているかの判定が行われる（Ｓ４０６）。Ｔｈ２を超えていない場合は、ｔ１秒待機した後、待機回数を１増やしてから、再度Ｓ４０５の判定を行う（Ｓ４０７〜Ｓ４０８）。
【０１００】
待機回数がＴｈ２を超えている場合には、ユーザによるタッチはされていないものと判断し、その旨をＣＰＵに通知し（Ｓ４０９）、タッチセンサをＯＦＦにして（Ｓ４１０）、Ｓ４０１の輝度判定に戻る。
【０１０１】
タッチされている場合には、ユーザにより把持されているものと判断し、その旨をＣＰＵに通知する（Ｓ４１１）。ＣＰＵはタイマー（厳密には第３の周囲環境センサでの判定回数の上限）Ｔｈ３を設定し（Ｓ４１２）、第３の周囲環境センサである姿勢検出センサをＯＮにする（Ｓ４１３）。そして姿勢検出センサのセンサ情報に基づいて携帯電子機器が撮影姿勢にあるかどうかの判定を行う（Ｓ４１４）。
【０１０２】
撮影姿勢にない場合にはＳ４０６〜Ｓ４０８と同様のループ処理を行う。つまり、待機回数をＳ４１２で設定したＴｈ３と比較し（Ｓ４１５）、Ｔｈ３以下ならばｔ２秒待機し（Ｓ４１６）、待機回数を１増やしてから（Ｓ４１７）、Ｓ４１４の判定に戻る。Ｔｈ３より大きい場合には、ユーザには撮影する意図がないと判断し、その旨をＣＰＵに通知し（Ｓ４１８）、姿勢検出センサをＯＦＦにした後（Ｓ４１９）、タッチセンサをＯＦＦにし（Ｓ４１０）、Ｓ４０１の輝度判定に戻る。
【０１０３】
撮影姿勢である場合には、ユーザが撮影しようとしていると判断し、その旨をＣＰＵに通知し（Ｓ４２０）、カメラの主電源をＯＮにして（Ｓ４２１）、撮影モードに移行する。撮影モードにおいては、撮影に必要な全ての回路に対して電源が供給され、動作可能な状態になる。
【０１０４】
以上のシーケンスにおいて、第１の周囲環境センサを太陽電池、第２の周囲環境センサをタッチセンサ、第３の周囲環境センサを姿勢検出センサとしたが、センサの組み合わせはこれに限定されるものではない。
【０１０５】
第１の周囲環境センサは常時起動しても消費電力が問題にならない程度の省電力が実現されている必要がある。また、ユーザの意図に反して起動しないように、判断精度を高める必要があり、そのためには少なくとも２つ以上のセンサを組み合わせることが重要である。少なくとも以上の条件を満たせば、周囲環境センサの組み合わせは自由である。
【０１０６】
なお、比較的単純で、撮影シーケンスにおいて先に行われる動作（もしくは先に変化する周囲環境）を検出するセンサを先に起動するようにしてもよい。具体的には例えば、通常、撮影を行う際には、まず明るい場所に移動し、その後撮影姿勢をとる。つまり撮影姿勢をとるときには輝度（明るさ）の条件は満たされていることが多いと考えられる。よって姿勢検出センサを第１の周囲環境センサとし、輝度センサを第２（もしくは第３）の周囲環境センサとしても効果に乏しく、効率的とは言えない。よって、輝度センサは姿勢検出センサよりも先に起動されるように配置すべきであると考えられる。
【０１０７】
以上の本実施形態では、第１の周囲環境センサである輝度センサを太陽電池とし、それとは別に第２の周囲環境センサとしてタッチセンサを設けていたが、これに限定されるものではない。太陽電池を輝度センサ兼タッチセンサとして動作させ、第２の周囲環境センサは、太陽電池により、明るさの変化及びユーザのタッチが検出された場合に起動してもよい。
【０１０８】
これにより、センサ自体の数は少なくすむため、起動シーケンスにかかる時間を短縮でき、また、省電力化を実現できる。センサの数が少なくても、周囲環境については複数のものをセンシングしているため判断の正確性も低下することはない。
【０１０９】
３．第２の実施形態
【０１１０】
次に本発明の第２の実施形態を図６〜図７を用いて説明する。本実施形態においては携帯電子機器として撮影機能付き携帯電話を考える。なお、本実施形態の携帯電子機器は撮像部を有し、かつ例えば通話モードやメールモード等の複数の通常動作モードを選択可能なものであればよく、携帯電話に限定されるものではない。
【０１１１】
第１の実施形態との大きな違いは、図１及び図２に示したように、通常動作モードが複数あるか否かである。そのため本実施形態においては、各モード（例えば通話モード・メールモードと撮影モード）を適切に判別する必要がある。よって、各モードの判定に用いることができるセンサを用いる点に特徴があり、具体的には例えば測距センサ、キー入力検出センサを用いるケースについて説明する。
【０１１２】
図６は、撮影機能付き携帯電話の概略的構成を説明するブロック図である。レンズや撮像素子、画像処理部等からなるカメラ部２５０、文字やキャラクタ、撮像画像等を表示する表示部１９０、送信部や受信部、アンテナ等からなる無線送受信部２６０、ＣＰＵや各種メモリ、電源システム等からなる処理部１６０、各種の周囲環境センサからなるセンサ部２００、フラッシュメモリ等などからなり、処理部１６０等の作業領域及びデータの保存に用いられる記憶部１５０からなる。
【０１１３】
ここで、記憶部１５０、処理部１６０、表示部１９０、センサ部２００の構成は第１の実施形態と同様であるため、詳細な説明は省略する。
【０１１４】
カメラ部２５０は、第１の実施形態で説明した撮像装置の撮像部１１５に相当し、撮影レンズ及び撮像素子を備えている。
【０１１５】
無線送受信部２６０は、他の機器との間でデータを送受信するためのものであり、通常の通話・パケット通信に用いられる電波を送受信する。また、赤外線やＢｌｕｅｔｏｏｔｈ等の通信も含むものとする。
【０１１６】
図７は、具体的なブロック図の例である。処理部１６０は、センサ情報取得部１６２と、モード制御部１６４と、通知部１６６と、を含む。これらの構成については第１の実施形態と同様である。
【０１１７】
無線送受信部２６０は、送信部２６２と、受信部２６４と、を含む。送信部２６２は送信のための処理を行い、受信部２６４は受信のための処理を行う。
【０１１８】
センサ部２００は、測距センサ２０２と、タッチセンサと２０６と、キー入力検出センサ２０８と、を含む。
【０１１９】
ここで、上記の３つのセンサの組み合わせは、いくつものパターンが考えられる。第１の実施形態で述べたように、第１の周囲環境センサの省電力性及び複数センサの組み合わせという条件があるものの、上記条件を満たす限りセンサの組み合わせは任意である。また、第１の実施形態で述べた輝度センサ（具体的には例えば太陽電池）等、他のセンサを組み合わせてもよいことは言うまでもない。
【０１２０】
ここでは幾つかの条件を設定し、パターンを絞った上でそれぞれのパターンについて、具体的に説明をする。図１４に周囲環境センサの設定パターンの例を示す。図１４において白星印で示された箇所は、撮影可能な状態であるか否かを判断可能であれば、任意の周囲環境センサを用いることが可能であることを表す。また、「−」で示された箇所は、任意のセンサを用いてもよいし、センサを用いなくてもよい。当然、第４の周囲環境センサを用いない場合は、第５の周囲環境センサも用いられない。なお、本発明における周囲環境センサの設定パターンは図１４等で説明するパターンに限られるものではない。
【０１２１】
本実施形態において設定する条件は３つあり、第１に、撮影可能か否かを認識する任意のセンサを第１の周囲環境センサとする。第２に、タッチセンサ２０６を第２の周囲環境センサとする。第３に、測距センサとキー入力は排他的に用いられ、第３の周囲環境センサとする。
【０１２２】
第３の周囲環境センサの違いにより、例えば図１４に示すパターン１とパターン２に分けられる。以下詳細に説明する。
【０１２３】
第１の周囲環境センサは、任意である。例えば第１の実施形態と同様に、明るさを検知する輝度センサを用いて、輝度の値が所定の閾値以上であった場合に第２の周囲環境センサを起動させる。
【０１２４】
第２の周囲環境センサは、第１の実施形態と同様に、図１４のパターン１、２に示すようにタッチセンサ２０６である。タッチセンサ２０６により、ユーザのタッチを検出して、タッチされている場合に第３の周囲環境センサを起動する。
【０１２５】
第３の周囲環境センサは、図１４に示すようにパターン１においては測距センサである。図７に示すようにユーザとの距離情報を検出する。この距離情報が小さい場合には、ユーザが携帯電子機器を耳に当てているようなケースが想定されるため、通話モードであると判断する。距離情報がある程度の大きさである場合には、メールないしは撮影モードであると判断できる。メールモードの方が細かな文字を見る必要があるため、撮影モードよりも距離情報が大きいと考えることもできるが、正確性に欠ける可能性も考えられる。その場合にはメールモードと撮影モードの判別が可能な第４の周囲環境センサを用いればよい。
【０１２６】
また、第３の周囲環境センサは、図１４に示すようにパターン２においてはキー入力検出センサである。ここではどのようなキーが操作されたか（もしくは所定の時間キーが操作されなかったか）を検出する。そして、通話ボタンが押された場合には通話モードと判断し、メールボタンが押されたり、テンキーが連続で押されたりした場合にはメールモードと判断する。そして、カメラボタンが押されたり、通話・メールに該当する操作が行われなかったりした場合には撮影モードと判断する。
【０１２７】
以上の本実施形態では、センサ部２００は、ユーザと携帯電子機器との間の距離情報を取得する測距センサを含み、モード制御部１６４は、距離情報に基づいて複数の動作モードの中から１つの動作モードを起動する。
【０１２８】
具体的には、第１の周囲環境センサが撮影可能か否かを判断する任意のセンサであり、第２の周囲環境センサが測距センサであり、モード制御部は第１、第２の周囲環境センサからのセンサ情報に基づいて撮影モードを起動する。なお、上述の具体例では第２の周囲環境センサはタッチセンサとし、測距センサは第３の周囲環境センサとしたが、どちらでもかまわない。
【０１２９】
さらに具体的には、第１の周囲環境センサが、撮影可能な状態であることを検出し、かつ、第２の周囲環境センサである測距センサが、距離情報が撮影可能な状態を示す値であることを検出した場合に撮影モードを起動する。
【０１３０】
これにより、測距センサを用いることで、複数の動作モードの中から適切なモードを起動することが可能になる。ただし、前述したように撮影モードであるとの判断の正確性を向上させるために、他の周囲環境センサを用いてもよい。
【０１３１】
また、センサ部２００は、キー入力検出センサを含んでもよい。
【０１３２】
具体的には、第１の周囲環境センサが撮影可能か否かを判断する任意のセンサであり、第２の周囲環境センサがキー入力検出センサであり、モード制御部は第１、第２の周囲環境センサからのセンサ情報に基づいて撮影モードを起動する。なお、上述の具体例では第２の周囲環境センサはタッチセンサとし、キー入力検出センサは第３の周囲環境センサとしたが、どちらでもかまわない。
【０１３３】
さらに具体的には、第１の周囲環境センサが、撮影可能な状態であることを検出し、かつ、第２の周囲環境センサであるキー入力検出センサが、所定の期間カメラ操作以外のキーが悲壮さであることを検出した場合に撮影モードを起動する。
【０１３４】
これにより、キー入力検出センサを用いることで、複数の動作モードの中から適切なモードを起動することが可能になる。
【０１３５】
４．第３の実施形態
【０１３６】
次に本発明の第３の実施形態を図８〜図１０を用いて説明する。本実施形態においては携帯電子機器として撮影機能付き携帯電話を考える。なお、第２の実施形態と同様に、携帯電子機器は撮像部を有し、かつ例えば通話モードやメールモード等の複数の通常動作モードを選択可能なものであればよく、携帯電話に限定されるものではない。
【０１３７】
第２の実施形態との違いは、図８に示したように、２つ折りが可能か否かである。そのため本実施形態においては、撮影可能か否かを判定する第１の周囲環境センサとして、携帯電子機器の開閉状態を検出する開閉センサを用いる。
【０１３８】
図９は、具体的なブロック図の例である。センサ部２００の構成以外は第２の実施形態と同様であるため、詳細な説明は省略する。
【０１３９】
センサ部２００は、測距センサ２０２と、タッチセンサ２０６と、キー入力検出センサ２０８と、開閉センサ２１０とを含む。測距センサ２０２と、タッチセンサ２０６と、キー入力検出センサ２０８は第２の実施形態と同様である。
【０１４０】
本実施形態における携帯電子機器の外観を図８に示す。図８に示したように、第１の機器部分２７０と第２の機器部分２８０とが開閉自在に設けられている。開閉センサ２１０は、第１の機器部分２７０と第２の機器部分２８０の開閉状態を検出する。
【０１４１】
ここで、例えば、第１の機器部分２７０には、第１の主要デバイスとしてディスプレイ等が第１の面側（表面側）に設けられ、第２の機器部分２８０には、第２の主要デバイスとして操作キー等が第１の面側（表面側）に設けられる。第１の機器部分２７０と第２の機器部分２８０とは、開閉機構により開閉自在に設けられている。
【０１４２】
開状態とは、第１の機器部分２７０に設けられた第１の主要デバイスと、第２の機器部分２８０に設けられた第２の主要デバイスが操作可能になる状態である。具体的には、例えば図８に示すようにディスプレイ等を見ることが可能であり、操作キー等を操作可能な状態である。
【０１４３】
また、閉状態とは、第１の機器部分２７０に設けられた第１の主要デバイスと、第２の機器部分２８０に設けられた第２の主要デバイスが操作できない状態である。具体的には第１の機器部分２７０の第１の面側と、第２の機器部分２８０の第１の面側とが、合い向かいになるように折りたたまれた状態である。
【０１４４】
本実施形態においては、第３の周囲環境センサの種類によって、図１４のパターン３及びパターン４に示すような２つのパターンに分けられる。
【０１４５】
第１の周囲環境センサは、図１４に示すように開閉センサ２１０である。二つ折り携帯電話の場合、機種によって開いた状態で撮影する場合もあるし、閉じた状態で撮影する場合もある。開いた状態で撮影する場合には、開いた状態を撮影可能状態と認識し、閉じた状態で撮影する場合には、閉じた状態を撮影可能状態と認識して、第２の周囲環境センサを起動する。
【０１４６】
第２の周囲環境センサは図１４に示すようにタッチセンサであり、図１０の２９１もしくは２９２、またはその両方に設けられる。開いた状態で撮影する場合には、開いた状態で携帯電話を立てるように握ったことを検出するため２９２にタッチセンサ２０６が設けられる。閉じた状態で撮影する場合には、閉じた状態で携帯電話を立てるように握ったことを検出するため２９１及び２９２の両方にタッチセンサ２０６が設けられる。ユーザのタッチを検出すると第３の周囲環境センサを起動する。
【０１４７】
第３の周囲環境センサは、第２の実施形態と同様に測距センサ２０２もしくはキー入力検出センサ２０８である。第３の周囲環境センサの違いによりパターン３とパターン４に分けられる。図１４に示すようにパターン３では第３の周囲環境センサとして測距センサ２０２が用いられ、パターン４ではキー入力検出センサが用いられる。
【０１４８】
以上の本実施形態では、第１の機器部分と、第１の機器分に対して開閉可能に設けられた第２の機器部分を含み、第１の周囲環境センサは開閉状態を検出する開閉センサである。
【０１４９】
具体的には開閉センサが、開状態であることを検出した場合に撮影モードを起動する。
【０１５０】
これにより、開閉センサを用いることで、撮影可能か否かの判定を行うことができ、第１の周囲環境センサとして利用することが可能になる。開閉センサは機械式のスイッチであるため消費電力を非常に小さく抑えることができるという利点がある。
【０１５１】
上述の具体例では測距センサ２０２もしくはキー入力検出センサ２０８を第３の周囲環境センサとしたが、これに限定されるものではない。第１の周囲環境センサが開閉センサ２１０であり、第２の周囲環境センサがタッチセンサ２０６であり、第３の周囲環境センサが姿勢検出センサであり、モード制御部１６４は、第１〜第３の周囲環境センサからのセンサ情報に基づいて撮影モードを起動してもよい。
【０１５２】
具体的には、第１の周囲環境センサである開閉センサが閉状態であることを検出し、第２の周囲環境センサであるタッチセンサがユーザのタッチを検出し、第３の周囲環境センサである姿勢検出センサが撮影可能な姿勢であることを検出した場合に、撮影モードを起動する。
【０１５３】
これにより、開閉センサ２１０により、閉じた状態で撮影するようなケースも対応可能になる。また、第３の周囲環境センサ（ここではメールモード及び通話モードとの切り分けを明確にするセンサ）には、測距センサ２０２、キー入力検出センサ２０８の他、姿勢検出センサ等、様々なものを用いることが可能である。
【０１５４】
５．第４の実施形態
【０１５５】
次に本発明の第４の実施例について図１１〜１３を用いて説明する。第２、第３の実施形態との違いは、ズームレバーではなく、スマートズームによりズーム操作を行う点である。
【０１５６】
図１１はカメラのズーム操作をボタンやレバーではなくユーザからカメラまでの距離によって操作するカメラの略図である。距離が短い場合、ズームは広角側になり、距離が長い場合は望遠になる。なお、測距手段は、ここではモーションセンサを用いるが、赤外線アクティブセンサや無線タグ等を使用しても良い。
【０１５７】
図１２は、具体的なブロック図の例である。センサ部２００の構成以外は第３の実施形態と同様であるため、詳細な説明は省略する。
【０１５８】
センサ部２００は、測距センサ２０２と、モーションセンサ２０４と、タッチセンサ２０６と、キー入力検出センサ２０８と、開閉センサ２１０とを含む。測距センサ２０２と、タッチセンサ２０６と、キー入力検出センサ２０８と、開閉センサ２１０は第３の実施形態と同様である。
【０１５９】
モーションセンサ２０４は携帯電子機器の動きを検出する。
【０１６０】
本実施形態では、第１の周囲環境センサが開閉センサ２１０か、撮影状態か否かを判別する他のセンサかで、図１４に示すようなパターン５とパターン６に分けられる。開閉センサ２１０はここでは開状態のときに撮影可能であると判断する。
【０１６１】
第２の周囲環境センサは図１４に示すようにタッチセンサ２０６であり、第２〜第３の実施形態と同様である。
【０１６２】
第３の周囲環境センサは図１４に示すように測距センサ２０２である。
【０１６３】
第４の周囲環境センサは図１４に示すようにキー入力検出センサ２０８である。
【０１６４】
第５の周囲環境センサは図１４に示すようにモーションセンサ２０４であり、携帯電子機器が撮像素子の光軸方向へ移動していること（スマートズームのズーム操作が行われていること）を検出した場合に、撮影可能であると判断し、モード制御部１６４は撮影モードを起動する。
【０１６５】
次に具体的な処理について図１３を用いて説明する。
【０１６６】
図１３の処理が開始されると、２つ折りタイプか否かの判定が行われる（Ｓ５０１）。２つ折りタイプの場合には開状態であるか否かの判定が行われ（Ｓ５０２）、２つ折りタイプでない場合には撮影可能状態であるか否かの判定が行われる（Ｓ５０３）。
【０１６７】
開状態もしくは撮影可能状態と判断された場合にはＣＰＵに通知される（Ｓ５０４）。ＣＰＵはタイマー（厳密には第２の周囲環境センサでの判定回数の上限）Ｔｈ１を設定し（Ｓ５０５）、第２の周囲環境センサであるタッチセンサを起動する（Ｓ５０６）。
【０１６８】
次に、タッチセンサによりタッチがされているかどうかの判定が行われる（Ｓ５０７）。タッチされていない場合には、待機回数がＳ５０５で設定したＴｈ１を超えているかの判定が行われる（Ｓ５０８）。Ｔｈ１を超えていない場合は、ｔ１秒待機した後、待機回数を１増やしてから、再度Ｓ５０７の判定を行う（Ｓ５０９〜Ｓ５１０）。
【０１６９】
待機回数がＴｈ１を超えている場合には、ユーザによるタッチはされていないものと判断し、その旨をＣＰＵに通知し、タッチセンサをＯＦＦにして、Ｓ５０１の判定に戻る。
【０１７０】
ユーザのタッチを検出した場合には、主電源をＯＮにして（Ｓ５１１）、ＣＰＵに通知し（Ｓ５１２）、第３の周囲環境センサである測距センサ２０２をＯＮにする（Ｓ５１３）。測距センサ２０２はユーザと携帯電子機器との間の距離情報を取得し所定の閾値Ｔｈ２と比較を行う（Ｓ５１４）。距離情報が小さい場合には通話モードであると判定し、モード制御部１６４は通話モードに設定する（Ｓ５２１）。
【０１７１】
距離が大きい場合にはキー入力検出センサ２０８をＯＮにしてカメラ操作以外のキー入力があるかの判定が行われる（Ｓ５１５）。キー入力があった場合にはメールモードと判定し、モード制御部１６４はメールモードに設定する（Ｓ５２０）。カメラ操作以外のキー入力がない場合には、ＣＰＵに通知され（Ｓ５１６）、第５の周囲環境センサであるモーションセンサが起動し（Ｓ５１７）、撮像素子の光軸方向への移動があるかの判定が行われる（Ｓ５１８）。移動がない場合にはメールモードに設定し（Ｓ５２０）、移動がある場合には撮影モードに設定する（Ｓ５１９）。
【０１７２】
以上の本実施形態では、第１〜第５の周囲環境センサを利用し、第５の周囲環境センサがモーションセンサである例を示したが、これに限定されるものではない。第１の周囲環境センサは、撮像部が撮影可能な状態であるか否かの検出を行う任意のセンサであり、第２の周囲環境センサは、所定の期間カメラ操作以外のキーが非操作であるか否かの検出を行うキー入力検出センサ２０８であり、第３の周囲環境センサは光軸方向への携帯電子機器の移動を検出するモーションセンサであってもよい。
【０１７３】
ここで、図１３においては、第１の周囲環境センサは開閉状態を判断するＳ５０２、もしくは撮影可能な状態であるかを判断するＳ５０３に相当する。また、第２の周囲環境センサであるキー入力検出センサは、Ｓ５１５に相当し、第３の周囲環境センサであるモーションセンサはＳ５１７で起動し、Ｓ５１８で判断に用いられる加速度センサに相当する。
【０１７４】
これにより、撮影モードか否かの判定に、モーションセンサ２０４を用いることが可能になり、スマートズームが行われたか否かを判断の際に用いることができる。そのため、撮影モードであるか否かの判断の正確性を向上させることが可能となる。
【０１７５】
以上、本発明を適用した４つの実施形態１〜４及びその変形例について説明したが、本発明は、各実施形態１〜４やその変形例そのままに限定されるものではなく、実施段階では、発明の要旨を逸脱しない範囲内で構成要素を変形して具体化することができる。また、上記した各実施形態１〜４や変形例に開示されている複数の構成要素を適宜組み合わせることによって、種々の発明を形成することができる。例えば、各実施形態１〜４や変形例に記載した全構成要素からいくつかの構成要素を削除してもよい。さらに、異なる実施形態や変形例で説明した構成要素を適宜組み合わせてもよい。このように、発明の主旨を逸脱しない範囲内において種々の変形や応用が可能である。
【０１７６】
また、明細書又は図面において、少なくとも一度、より広義または同義な異なる用語（例えば、撮影レンズ）と共に記載された用語（例えば、光学系等）は、明細書又は図面のいかなる箇所においても、その異なる用語に置き換えることができる。
【符号の説明】
【０１７７】
１１０  撮影レンズ、１１５  撮像部、１２０  撮像素子、
１３０  画像処理部、１４０  Ｉ／Ｆ部、１５０  記憶部、１６０  処理部、
１６２  センサ情報取得部、１６４  モード制御部、１６６  通知部、
１７０  レンズ駆動モータ、１９０  表示部、１９２  ドライバ、２００  センサ部、
２０２  測距センサ、２０４  モーションセンサ、２０６  タッチセンサ、
２０８  キー入力検出センサ、２１０  開閉センサ、２５０  カメラ部、
２６０  無線送受信部、２６２  送信部、２６４  受信部、
２７０  第１の機器部分、２８０  第２の機器部分
【図１】
2011160327.tif 000003
【図２】
2011160327.tif 000004
【図３】
2011160327.tif 000005
【図４】
2011160327.tif 000006
【図５】
2011160327.tif 000007
【図６】
2011160327.tif 000008
【図７】
2011160327.tif 000009
【図８】
2011160327.tif 000010
【図９】
2011160327.tif 000011
【図１０】
2011160327.tif 000012
【図１２】
2011160327.tif 000013
【図１３】
2011160327.tif 000014
【図１４】
2011160327.tif 000015
【図１１】
2011160327.tif 000016